(57)【要約】      （修正有）【課題】引越搬送物が間違いなく搬入されていることを、引越依頼者に簡便に提示できるようにすること。【解決手段】引越搬送物を識別可能な識別情報が記録された識別情報記録媒体３３と、搬出地から搬出される引越搬送物に付与されている前記識別情報記録媒体３３の識別情報を読み取る搬出地側読み取り手段１と、該読み取った当該引っ越しにおける全ての引越搬送物の識別情報を記憶する記憶手段と、搬入地に搬入される引越搬送物に付与されている前記識別情報記録媒体３３の識別情報を読み取る搬入地側読み取り手段１と、該読み取った識別情報と前記記憶手段に記憶されている識別情報とを照合する照合手段と、該照合結果を出力する照合結果出力手段とを備える。【選択図】図４
2007126256.tif 000002
【特許請求の範囲】
【請求項１】
引越搬送物に付与され、当該引越搬送物を識別可能な識別情報が記録された識別情報記録媒体と、
前記引越搬送物の搬出地において、当該搬出地から搬出される引越搬送物に付与されている前記識別情報記録媒体の識別情報を読み取る搬出地側読み取り手段と、
前記搬出地側読み取り手段にて読み取った、当該引っ越しにおける全ての引越搬送物の識別情報を記憶する記憶手段と、
前記引越搬送物の搬入地において、当該搬入地に搬入される引越搬送物に付与されている前記識別情報記録媒体の識別情報を読み取る搬入地側読み取り手段と、
前記搬入地側読み取り手段にて読み取った識別情報と、前記記憶手段に記憶されている識別情報とを照合する照合手段と、
前記照合手段による照合結果を出力する照合結果出力手段と、
を備えることを特徴とする引越搬送物管理システム。
【請求項２】
前記識別情報記録媒体は、記憶している識別情報を非接触にて送信可能なＲＦＩＤチップであることを特徴とする請求項１に記載の搬送物管理システム。
【請求項３】
前記ＲＦＩＤチップは、引越搬送物に貼付される当該引越搬送物に関する情報を表記可能な荷物シールに設けられていることを特徴とする請求項２に記載の搬送物管理システム。
【請求項４】
前記搬出地側読み取り手段にて読み取った引越搬送物の数および／または前記搬入地読み取り手段にて読み取った引越搬送物の数を集計し、該集計した引越搬送物の数を出力する引越搬送物数集計出力手段を備えることを特徴とする請求項１〜３のいずれかに記載の引越搬送物管理システム。
【請求項５】
前記照合手段は、前記照合により不一致となった識別情報を抽出し、
前記照合結果出力手段は、前記照合手段にて抽出された識別情報の一覧を出力することを特徴とする請求項１〜４のいずれかに記載の引越搬送物管理システム。
【請求項６】
その時点の日時情報を出力する日時情報出力手段を備え、
前記記憶手段は、前記識別情報に対応付けて、当該識別情報が前記搬出地側読み取り手段および／または前記搬入地側読み取り手段にて読み取られた読み取り時刻を記憶することを特徴とする請求項１〜５のいずれかに記載の引越搬送物管理システム。
【請求項７】
前記照合手段は、前記搬入地側読み取り手段にて読み取ったほぼその時点において照合を実施し、
該照合手段における照合結果が不一致であったときに、当該不一致である旨を報知する報知手段を備えることを特徴とする請求項１〜６のいずれかに記載の引越搬送物管理システム。
【発明の詳細な説明】
【技術分野】
【０００１】
本発明は、引越搬送物を管理するための引越搬送物管理システムに関する。
【背景技術】
【０００２】
従来、通常の荷物の移動状況を管理するシステムとしては、荷物の集積所にて集積された荷物の搬送状況を、ほぼリアルタイムにて管理装置において把握できるようにしたものがある（例えば、特許文献１参照）。
【０００３】
【特許文献１】特開２０００−２８５２０５号公報
【発明の開示】
【発明が解決しようとする課題】
【０００４】
一方、引越においては、引越業者が搬出元から搬出した荷物（引越搬送物）を、引越先である搬入先に搬送して搬入しているが、この際、特に企業等の引越において、複数の部署が１つに統合したり、１つの部署が複数の部署に分かれる場合であって、搬出元や搬入先が複数となる場合においては、搬入先を間違えること等により、引越を実施する以前に存在していた物、例えば書類等が引越先において見つからない等のトラブルとなる場合があり、近年、個人情報保護法の施行にもあるように、個人情報の流出等における企業の責任が大きく問われる状況下において、引越の依頼者である企業や個人が、これら搬出元から搬出された荷物（引越搬送物）が間違いなく搬入先に搬送されていることを確認したいという要望があるが、前記した特許文献１のシステムにあっては、荷物の移動状況を管理装置においては把握できるものの、引越用に特化されたシステムではないので、引越の特徴である同一の搬出元からの複数の荷物の全てが搬入先に間違いなく搬入されたかを確認するには、個々の荷物のそれぞれについて確認を実施ことが必要となるばかりか、これらの確認結果を簡便に出力できるものではなく、このため、前述した搬出元から搬出された荷物（引越搬送物）が間違いなく搬入先に搬送されていることを確認したいという引越依頼者の要望に応えることのできるシステムが存在しなかった。
【０００５】
本発明は、このような問題点に着目してなされたもので、搬出された引越搬送物が間違いなく搬入されているいか否かを、引越依頼者に簡便に提示することのできる引越搬送物管理システムを提供することを目的とする。
【課題を解決するための手段】
【０００６】
上記課題を解決するために、本発明の請求項１に記載の引越搬送物管理システムは、
引越搬送物に付与され、当該引越搬送物を識別可能な識別情報が記録された識別情報記録媒体と、
前記引越搬送物の搬出地において、当該搬出地から搬出される引越搬送物に付与されている前記識別情報記録媒体の識別情報を読み取る搬出地側読み取り手段と、
前記搬出地側読み取り手段にて読み取った、当該引っ越しにおける全ての引越搬送物の識別情報を記憶する記憶手段と、
前記引越搬送物の搬入地において、当該搬入地に搬入される引越搬送物に付与されている前記識別情報記録媒体の識別情報を読み取る搬入地側読み取り手段と、
前記搬入地側読み取り手段にて読み取った識別情報と、前記記憶手段に記憶されている識別情報とを照合する照合手段と、
前記照合手段による照合結果を出力する照合結果出力手段と、
を備えることを特徴としている。
この特徴によれば、搬出された引越搬送物に付与された識別情報記録媒体の識別情報と、搬入された引越搬送物に付与された識別情報記録媒体の識別情報とが照合されて、その照合結果が出力されるようになるので、搬出された引越搬送物が間違いなく搬入されているいか否かを、引越依頼者に簡便に提示することができる。
【０００７】
本発明の請求項２に記載の引越搬送物管理システムは、請求項１に記載の引越搬送物管理システムであって、
前記識別情報記録媒体は、記憶している識別情報を非接触にて送信可能なＲＦＩＤチップであることを特徴としている。
この特徴によれば、識別情報の読み取りを、識別情報記録媒体に近接することなく読み取ることができるので、読み取り作業の作業性を向上できるばかりか、記憶されている識別情報が改竄される等による不都合の発生を著しく回避でき、照合結果の信頼性を向上できる。
【０００８】
本発明の請求項３に記載の引越搬送物管理システムは、請求項２に記載の引越搬送物管理システムであって、
前記ＲＦＩＤチップは、引越搬送物に貼付される当該引越搬送物に関する情報を表記可能な荷物シールに設けられていることを特徴としている。
この特徴によれば、通常の引越においては、各引越搬送物に荷物シールを貼付するので、これら荷物シールにＲＦＩＤチップを設けることで、個別にＲＦＩＤチップを引越搬送物に付与する作業を行う必要がなく、ＲＦＩＤチップを簡便且つ確実に引越搬送物に付与できる。
【０００９】
本発明の請求項４に記載の引越搬送物管理システムは、請求項１〜３のいずれかに記載の引越搬送物管理システムであって、
前記搬出地側読み取り手段にて読み取った引越搬送物の数および／または前記搬入地読み取り手段にて読み取った引越搬送物の数を集計し、該集計した引越搬送物の数を出力する引越搬送物数集計出力手段を備えることを特徴としている。
この特徴によれば、搬出する引越搬送物の数および／または搬入する引越搬送物の数を容易に把握することができる。
【００１０】
本発明の請求項５に記載の引越搬送物管理システムは、請求項１〜４のいずれかに記載の引越搬送物管理システムであって、
前記照合手段は、前記照合により不一致となった識別情報を抽出し、
前記照合結果出力手段は、前記照合手段にて抽出された識別情報の一覧を出力することを特徴としている。
この特徴によれば、搬出されて未搬入の引越搬送物や、本来、搬入されてはならない引越搬送物を容易に把握することができ、これらの引越搬送物の問い合わせ等を簡便に実施することができる。
【００１１】
本発明の請求項６に記載の引越搬送物管理システムは、請求項１〜５のいずれかに記載の引越搬送物管理システムであって、
その時点の日時情報を出力する日時情報出力手段を備え、
前記記憶手段は、前記識別情報に対応付けて、当該識別情報が前記搬出地側読み取り手段および／または前記搬入地側読み取り手段にて読み取られた読み取り時刻を記憶することを特徴としている。
この特徴によれば、各引越搬送物の読み取り時刻を確認できるので、例えば、同一の引越搬送物が、異なる搬入先に対応する搬出地側読み取り手段にて重複して読み取られている場合等において、当該引越搬送物の読み取り時刻を確認することで、積載された引越搬送物のどの辺りに積載されているのかを推定することが可能となり、これら不都合の生じた引越搬送物を、多数の引越搬送物の中から探し出すための重要な情報を得ることができるようになる。
【００１２】
本発明の請求項７に記載の引越搬送物管理システムは、請求項１〜６のいずれかに記載の引越搬送物管理システムであって、
前記照合手段は、前記搬入地側読み取り手段にて読み取ったほぼその時点において照合を実施し、
該照合手段における照合結果が不一致であったときに、当該不一致である旨を報知する報知手段を備えることを特徴としている。
この特徴によれば、搬入地側読み取り手段にて引越搬送物の識別情報記録媒体から読み取った識別情報が不一致、例えば、記憶手段に記憶されていない識別情報である場合には、当該引越搬送物は、本来搬入されてはならない混入引越搬送物であるので、これら混入引越搬送物を読み取り時点にて特定することで、当該混入引越搬送物が搬入されることを回避できるので、これら混入引越搬送物が搬入された後に判明することにより、該混入引越搬送物を搬入された多数の引越搬送物から探し出す面倒を解消することができる。
【発明を実施するための最良の形態】
【００１３】
本発明の実施例を以下に説明する。
【実施例】
【００１４】
本発明の実施例を図面に基づいて説明すると、先ず図1は、本実施例の引越搬送物管理システムの構成を示すシステム図であって、本実施例の引越搬送物管理システムは、図１に示すように、引越の搬出元現場並びに搬入先現場において、引越搬送物３０に貼付されているＲＦＩＤチップ３３（図４参照）に記憶されている本発明における識別情報となるチップＩＤを読み取る本発明における搬出地側読み取り手段並びに搬入地側読み取り手段を成すチップリーダ端末１と、各現場においてこれらチップリーダ端末１にて読み取られたチップＩＤを収集して記憶するとともに、チップＩＤによる照合結果等の各種の情報を表示出力するための可搬可能な本発明の記憶手段並びに照合手段、照合結果出力手段を成すノートパソコン２と、これらノートパソコン２と通信回線網４を通じてデータ通信可能とされ、これら引越の業務を行う引越企業が契約したデータセンタに設置され、各ノートパソコン２において収集された搬出並びに搬入される引越搬送物３０に貼付されているＲＦＩＤチップ３３のチップＩＤを記憶、管理する管理サーバ３とから主に構成されている。
【００１５】
また、ノートパソコン２には、例えば、搬出元から搬出される引越搬送物３０の搬入先毎に複数のトラックを使用する場合等には、そのトラック毎、つまり搬入先毎にチップリーダ端末１を使用する場合においては、これら各搬入先に割り当てられた各チップリーダ端末１が順次、接続されて当該チップリーダ端末１にて読み取ったチップＩＤが、ノートパソコン２に送信されるとともに、搬入先の現場においては、チップリーダ端末１に搭載されている後述する無線ＬＡＮ通信モジュール１５により、複数のチップリーダ端末１とノートパソコン２とが、無線ＬＡＮ接続されることにより同時並行的にデータ通信が可能とされている。
【００１６】
まず、初めに、本実施例に用いたチップリーダ端末１について、図２並びに図３に基づいて説明すると、チップリーダ端末１は、図２に示すように、店舗等において汎用的に利用されているハンディターミナルと同様に把手１’を有する形状とされることで、引越の作業者が当該把手１’を握ってチップＩＤの読み取り操作を実施できるようになっている。
【００１７】
そして、該把手１’と反対側の端末前面には、当該チップリーダ端末１に予め付与されているリーダＩＤや、ニックネーム、対応する搬入先の情報や、記憶されている読み取ったチップＩＤの件数や、メモリの残量、エラー表示等の各種の情報が表示可能な液晶モジュール１２から成る表示部１２’が設けられているとともに、該表示部１２’と把手１’との間には、電源キーや読み取り操作キーや表示切り替えキー等の各種操作キーを有する操作基板１４が設けられている。
【００１８】
また、表示部１２’の反対面には、その内部にＲＦＩＤチップ３３のチップＩＤを読み取るためのＲＦＩＤリーダ１３を内在する突出部１３’が設けられているとともに、該表示部１２’の上端側、つまり、把手１’と反対側の側面には、当該チップリーダ端末１に内在されている無線ＬＡＮ通信モジュール１５が、ノートパソコン２に内在されている図示しない無線ＬＡＮ通信モジュールとの間における無線データ通信用の電波の送受を行うためのアンテナ１０が設けられている。
【００１９】
また、本実施例のチップリーダ端末１の構成は、図３のブロック図に示すように、前記表示部１２’を形成する液晶モジュール１２や、突出部１３’内に格納されているＲＦＩＤリーダ１３や、アンテナ１０に接続されて、該アンテナ１０を通じてノートパソコン２に内在されている図示しない無線ＬＡＮ通信モジュールとの間における無線データ通信を実施する無線ＬＡＮ通信モジュール１５や、操作基板１４に加えて、これら各部に動作電力を供給する図示しない電池や電源回路や、有線となるＵＳＢ（Universal Serial Bus）ケーブル２５を介してノートパソコン２との間の有線データ通信を行うためのＵＳＢインターフェイス１６や、読み取りの完了音やエラーの発生時におけるエラー音等を出力するサウンダ１７や、これら各部に図３に示すように接続されることで、その動作を制御してチップリーダ端末１の各種の機能を提供する制御を行う制御ユニット１１から構成されている。
【００２０】
この本実施例に用いた制御ユニット１１は、図３に示すように、チップリーダ端末１の各機能を実現するための制御動作内容が記述された制御プログラムや設定データ等が記憶されるプログラムロム（Ｐ−ＲＯＭ）６や、これら制御プログラムを実行する制御マイコン（ＭＰＵ）５や、該制御マイコン（ＭＰＵ）５が各種の処理を実施する際のワークメモリ等として使用されるメモリ（ＲＡＭ）７や、その時点の時刻や日付等の日時情報を出力可能な本発明における日時情報出力手段となるリアルタイムクロック（ＲＴＣ）８や、ＲＦＩＤリーダ１３にて読み取ったチップＩＤ並びに当該読み取り時刻を記憶するためのフラッシュメモリ９を有しており、チップリーダ端末１の各部と接続されていることにより、これら接続されている各部の動作を制御できるようになっている。
【００２１】
また、本実施例に用いたノートパソコン２は、図２に示すように、液晶パネル２１を備え、バッテリ動作が可能で可搬が容易な比較的小型の通常のノートパソコンとされているとともに、その内部には、図示しない無線ＬＡＮ通信モジュールが搭載されていて、外部の無線ＬＡＮ通信モジュールやアクセスポイントとの間における双方向の無線データ通信を実施できるようになっている。
【００２２】
そして、その側面には、図２に示すように、ＵＳＢケーブル２５を介してチップリーダ端末１を有線接続するためのＵＳＢスロット２３や、通信回線網４（携帯電話網）を介して管理サーバ３との間のデータ通信を行うためのデータ通信カード２４が装着されるPCMCIA（Personal Computer Memory Card International Association）規格のカードスロット２２が設けられており、ＵＳＢスロット２３にＵＳＢケーブル２５を介して接続されたチップリーダ端末１から、該チップリーダ端末１のフラッシュメモリ９に記憶されているチップＩＤ並びに読み取り時刻等の搬出データを受信できるとともに、データ通信カード２４を介してこれらチップリーダ端末１から収集したチップＩＤ並びに読み取り時刻等の搬出データを管理サーバ３に対して送信（アップロード）できるようになっている（図５参照）。
【００２３】
また、ノートパソコン２は、搭載されているオペレーションシステム上において動作可能な引越管理プログラムがインストールされており、該引越管理プログラムに基づいて、液晶パネル２１には、図６〜図１０に示す各種の表示画面が表示されるとともに、該引越管理プログラムに基づいて当該ノートパソコン２における各種の処理が実施される。
【００２４】
次に、本実施例に用いたＲＦＩＤチップ３３について図４に基づいて簡単に説明すると、ＲＦＩＤチップ３３は、個々のＲＦＩＤチップ３３に固有のチップＩＤが読み出し可能に記憶された非常に小型のパッシブ型のＲＦＩＤチップとされており、本実施例においては、読み取り作業性の向上を目的として、ＲＦＩＤチップ３３に著しく近接しなくてもチップＩＤの読み出しができるように、ＲＦＩＤチップ３３に外部アンテナ３４を設けた横長状のＲＦＩＤインレット３２としており、該ＲＦＩＤインレット３２が、引越搬送物３０の品名や搬入先を表記するための荷物シール３１の粘着面側に予め貼付されて設けられていることで、荷物シール３１に品名や搬入先を記入した後に該荷物シール３１を引越搬送物３０に貼付することで、ＲＦＩＤチップ３３を含むＲＦＩＤインレット３２が、荷物シール３１表面に露出することなく引越搬送物３０に貼付される。
【００２５】
以下、本実施例の引越搬送物管理システムの動作状況について以下に説明する。尚、以下の説明においては、例えば、搬出元の現場が２カ所あり、当該現場からの搬入先が２カ所あり、他の搬出元からも２つの搬入先への搬送が実施される場合について例示する。
【００２６】
まず、引越作業を実施する場合においては、当該引越作業の統括責任者は、搬出元となる２つの現場の現場責任者に配布する２つのノートパソコン２に対して、該引越に関する各種の情報を事前にノートパソコン２に入力しておく。
【００２７】
具体的に統括責任者は、いずれかのノートパソコン２、例えば自身が携行することとなるノートパソコン２において引越管理プログラムを起動させることにより液晶パネル２１に表示される、図６に示すメインメニューの事前処理メニューにおける「引越データ登録・修正」の項目を選択して図７に示す引越データ登録・修正画面を液晶パネル２１に表示させる。
【００２８】
そして、該引越データ登録・修正画面において、引越ＩＤ、依頼主名称、担当者名、予定日、搬出予定日時、搬入予定日時を入力するとともに、２つの搬出元に関する情報（現場番号、郵便番号、住所、電話番号）と、２つの搬入先に関する情報（現場番号、郵便番号、住所、電話番号）を入力した後、画面の右上方に設けられている「登録」の選択入力部を選択入力することで、該登録内容が画面左の一覧表示部に表示されて登録がなされるとともに、これら登録内容が管理サーバ３に送信されて、当該管理サーバ３にも登録される。
【００２９】
そして、これら１つのノートパソコン２にて登録した内容を当該引越作業に使用する他方のノートパソコン２に登録する場合には、該ノートパソコン２において引越データ登録・修正画面を表示させて、例えば引越ＩＤを入力して画面左の一覧表示部上を選択することで、ノートパソコン２から管理サーバ３に対して該引越ＩＤに該当する登録データの出力要求が送信されることにより、管理サーバ３に既に登録されている引越ＩＤに該当する登録データが返信され、一覧表示部上に該返信されてきた登録データが表示されることで、登録データの入力を簡便に実施できるようになっている。尚、例えば引越ＩＤに代えて、依頼主名を入力しても良く、この場合、当該依頼主名による引越案件が複数存在する場合には、該当する複数の登録データが一覧表示部上に表示されるので、該表示された中から、当該ノートパソコン２を使用する引越案件を選択して、「登録」の選択入力部を選択入力することで、選択した登録データが当該他方のノートパソコン２に設定（登録）される。
【００３０】
このようにして引越データが事前登録されたノートパソコン２は、作業者のトラックにより、チップリーダ端末１とともに搬出元の現場に持ち込まれる。この際、持ち込むチップリーダ端末１の数としては、少なくとも搬入先の数である２つのチップリーダ端末１を持参するか、好ましくは、引越作業に使用するトラックの数と同数のチップリーダ端末１を持参し、各チップリーダ端末１を各トラックに割り当てるようにする。
【００３１】
そして、搬出元の現場において、各トラック毎の搬入先（行き先）を決定し、各トラックに割り当てたチップリーダ端末１に、該割り当てられた搬入先を設定する。具体的には、現場番号「０１」が搬入先として決定されたトラックに割り当てたチップリーダ端末１を、ＵＳＢケーブル２５を介してノートパソコン２に接続した後、メインメニューの「チップリーダ設定」の項目を選択入力して、図８に示すチップリーダ設定画面を液晶パネル２１に表示させる。
【００３２】
このようにして表示されるチップリーダ設定画面には、ＵＳＢケーブル２５を介して接続されているチップリーダ端末１のリーダＩＤが、チップリーダ端末１から取得されて表示される。
【００３３】
そして、該チップリーダ設定画面において、当該チップリーダ端末１が使用されることとなる使用引越ＩＤを入力するとともに、「搬出」と「搬入」とをポップアップウインドウから選択可能なモードの項目において「搬出」を選択表示させるとともに、当該「搬出」の選択表示によりアクティブとされる読取対象搬入先の項目に、対応するトラックに決定された搬入先である「０１」をポップアップウインドウから選択指定した後、画面上部右側に設けられている「書込」の選択入力部を選択入力することで、これらチップリーダ設定画面にて表示された内容の設定データがチップリーダ端末１に送信されて記憶されるとともに、該設定の内容、具体的には、使用引越ＩＤの引越ＩＤに対応付けて、リーダＩＤとリーダニックネームと、設定モードと、読取対象搬入先の現場番号とがノートパソコン２に記憶、管理される。
【００３４】
尚、本実施例のチップリーダ設定画面においては、表示部１２’に表示されるリーダＩＤでは、個々のチップリーダ端末１を識別し難いので、これらチップリーダ端末１を識別し易いように、チップリーダ端末１にニックネームを付与できるようにしており、接続されているチップリーダ端末１に付与したいニックネーム、例えば、対応するトラックの愛称等をリーダニックネームの項目に入力することにより、該入力したニックネームがチップリーダ端末１の表示部１２’にリーダＩＤとともに表示される。
【００３５】
これらチップリーダ端末１への設定は、使用する各チップリーダ端末１について順次実施して、使用する全てのチップリーダ端末１に、対応するトラックの搬入先を設定する。尚、異なるトラックの搬入先が同一となることもあるので、異なるチップリーダ端末１に同一の搬入先が設定されることも有り得る。
【００３６】
このようにして、各チップリーダ端末１への設定を実施した後、各搬出元の現場において搬出作業を開始し、搬出した引越搬送物３０に貼付されている荷物シール３１内のＲＦＩＤチップ３３（ＲＦＩＤインレット３２）に記憶されているチップＩＤを、図４に示すように、該荷物シール３１に表記されている搬入先に決定されているトラックへの積み込み時において、チップリーダ端末１により読み取る。
【００３７】
このようにして読み取られたチップＩＤは、その時点においてＲＴＣ８から出力される日時情報に対応付けて、図５に示すように、フラッシュメモリ９に蓄積記憶されていく。
【００３８】
そして、当該トラックへの積み込みが完了した時点において、チップリーダ端末１を再度ノートパソコン２にＵＳＢケーブル２５を介して接続した後、メインメニューの搬出処理メニューにおける「搬出データ取得と個数確認」の項目を選択入力する。
【００３９】
この「搬出データ取得と個数確認」の項目を選択入力に応じて液晶パネル２１には、図９に示す搬出データ取得と個数確認画面が表示される。
【００４０】
この搬出データ取得と個数確認画面においては、当該ノートパソコン２における管理対象とする引越ＩＤと、当該ノートパソコン２に設定されている搬出元現場番号とその現場名称とが自動表示されるとともに、その下方位置には、その時点までに接続されたチップリーダ端末１から読み込んだチップＩＤと読み取り時間とから成る搬出データに基づく総搬出個数が表示される総搬出個数表示部と、接続されているチップリーダ端末１、若しくは既に接続されて搬出データの読み込みを実施済みのチップリーダ端末１に関する情報が表示されるリーダ情報表示部と、該リーダ情報表示部において選択することにより反転表示されたチップリーダ端末１から読み込んだ搬出データが一覧表示される詳細情報表示部とが設けられている。
【００４１】
本実施例の総搬出個数表示部には、リーダ情報表示部に表示されているそれまでに接続されて読み込みが完了したチップＩＤの数、すなわち、当該搬出元現場において使用している全てのチップリーダ端末１を接続して搬出データの読み込みを実施することで、ノートパソコン２における引越管理プログラムによって、これら読み込みを完了したチップＩＤの総数がカウントされることにより、該搬出元現場から搬出されてトラックに積み込みされた引越搬送物３０の総数が表示される。
【００４２】
また、リーダ情報表示部には、その時点までに接続することで搬出データの読み込み済みとなったチップリーダ端末１のリーダＩＤと、読み込んだ搬出データに含まれているチップＩＤの数である読取件数と、当該リーダＩＤのチップリーダ端末１に設定されている搬入先の搬入先現場番号とその名称とが表示されることで、その時点までに、既に読み込みが完了しているチップリーダ端末１、すなわち積み込みが完了している当該チップリーダ端末１が対応するトラックを把握できるようになっているとともに、搬出データを未読み込みのチップリーダ端末１が新たに接続されている場合には、当該接続されているチップリーダ端末１のリーダＩＤが、図９に示すように反転表示される。尚、この未読み込みの状態においては、「読取件数」には「−」が表示され、対応搬入先の表示内容は、チップリーダ設定画面にて当該チップリーダ端末１への設定（書き込み）時に記憶された設定データに基づいて特定された内容が表示される。
【００４３】
そして、この反転表示されている接続中のチップリーダ端末１から搬出データを読み込みたい場合には、画面の右上部位置に設けられている「読込」の選択入力部を選択入力すれば良く、該選択入力により、引越管理プログラムはＵＳＢケーブル２５を介して接続されているチップリーダ端末１の制御ユニット１１に対して、搬出データ出力要求を出力することにより、制御ユニット１１は、フラッシュメモリ９に記憶しているＲＦＩＤリーダ１３にて読み取ったチップＩＤ並びに読み取り時刻から成る搬出データをノートパソコン２に出力（送信）するとともに、該出力（送信）の完了情報を受信した場合において制御ユニット１１は、フラッシュメモリ９に記憶している搬出データを消去する。このようにすることで、同一の搬出データが重複して読み込みされることがないようになっているとともに、更に、当該チップリーダ端末１に対応するトラックに追加して引越搬送物３０を積み込む場合にも、当該チップリーダ端末１にて読み取りを実施した後、再度該チップリーダ端末１をノートパソコン２に接続することで、新たに追加して読み取った搬出データのみがノートパソコン２に出力（送信）されるようになる。
【００４４】
このようにして読み込みされた搬出データは、詳細情報表示部に表示されるとともに、該搬出データに含まれるチップＩＤの合計数が、当該接続中のチップリーダ端末１のリーダＩＤに対応する読取件数に更新表示されるとともに、該合計数が総搬出個数に加算更新表示される。
【００４５】
尚、これら読み込みされた搬出データは、ノートパソコン２において、具体的には、図５に示すように、チップＩＤに対応付けて、搬出読み取り時間と、当該ノートパソコン２に対応する搬出元現場情報（搬出元現場番号並びに現場名称）と、当該チップＩＤを読み取ったチップリーダ端末１のリーダＩＤと、該チップリーダ端末１に設定されている搬入先番号に基づく搬入先現場情報等の情報が、搬出データテーブルとして記憶されている。
【００４６】
そして、この搬出データテーブルへの新たな搬出データの記憶の際には、同一のチップＩＤが搬出データテーブルに存在するか否かを引越管理プログラムが判定し、存在していない場合には、当該チップＩＤの搬出データを記憶する一方、同一のチップＩＤが存在する場合には、そのチップＩＤに対応する搬入先情報と、読み込みを実施したチップリーダ端末１が対応する搬入先情報とが一致するか否かを判定し、搬入先情報が一致する場合には、同一のチップＩＤの搬出データを新たな搬出データに書き換え更新するとともに、搬入先情報が一致しないものがある場合には、図５に示すように、そのチップＩＤと、搬出データテーブルに存在する搬出読取時間と読取リーダＩＤと新たな搬出データに基づく搬出読取時間と読取リーダＩＤとを含むエラーウインドウを表示して、搬入先の重複が発生したことを報知する。尚、同一のチップＩＤが複数存在した場合には、これら複数のチップＩＤの全てが、エラーウインドウに一覧表示される。
【００４７】
これらエラーが発生した場合には、当該チップＩＤの読み取りを実施した各チップリーダ端末１の読取リーダＩＤの表示をリーダ情報表示部において選択入力（ダブルクリック）して、当該チップリーダ端末１から読み込んだ搬出データを、詳細情報表示部に一覧表示させた後、「搬出読取時間」の表示領域を選択入力（ダブルクリック）して、搬出読取時間の順に一覧表示をソート表示させて、エラーとなったチップＩＤの搬出読取時間が、当該チップリーダ端末１における読み取り作業のどの辺りにおいて読み取られたものであるか、つまり、読み取り作業の開始直後の時間帯であるか、或いは読み取り作業の終わりの時間帯であるかを特定して、当該搬出読取時間が該当する時間帯から、エラーとなったチップＩＤの荷物シール３１が貼付されている引越搬送物３０が、チップリーダ端末１が対応するトラックのどのような位置に積み込まれているか、つまりは、読み取り開始直後の時間帯であれば積み込み位置はトラックの奥の方、読み取り終了直前の時間帯であれば積み込み位置はトラックの出入り口側（手前側）、のように推定して、その引越搬送物３０を捜索して、その搬入先が正しくはどちらかであるかを確認し、搬出データテーブルの当該エラーの搬出データを訂正してエラーを解消する作業を実施する。
【００４８】
尚、その時点までに読み込みされて搬出データテーブルに記憶されている全ての搬出データ、すなわち、ノートパソコン２が対応する搬出元現場から搬出された引越搬送物３０の全ての搬出データを表示したい場合には、搬出データ取得と個数確認画面の上部右側に設けられている「全表示」の選択入力部を選択入力することで、詳細情報表示部に、搬出データテーブルに記憶されている全ての搬出データが一覧表示される。
【００４９】
このようにして、ノートパソコン２に、該ノートパソコン２が対応する搬出元現場において使用されている全てのチップリーダ端末１から、搬出データを読み出すとともに、搬入先の重複によるエラーを解消した後において、当該搬出元現場から搬出した引越搬送物３０の情報、つまり、搬出データテーブルに記憶されている全ての搬出データを画面の上部右位置に設けられている「登録」の選択入力部を選択して、管理サーバ３にアップロードすることで、図５に示すように、引越ＩＤと依頼主名称に対応付けて、各搬出元現場のノートパソコン２からアップロードされた全ての搬出データが引越データベースに、記憶、管理される。
【００５０】
そして、搬出元現場から搬出されてトラックに積み込みされた引越搬送物３０とともにノートパソコン２並びにチップリーダ端末１も対応する搬出先に移送されて、搬入に使用される。尚、本実施例では、搬出と搬入とに同一のノートパソコン２を使用しているが、本発明はこれに限定されるものではなく、例えば、搬出元現場と搬入先現場との距離が近く、トラックが何回も現場間を往復するような場合には、搬出側と搬入側とで個別のノートパソコン２を使用するようにしても良い。
【００５１】
まず、決定されている搬入先に到着して搬入を開始する際には、ノートパソコン２に、その搬入先現場に搬入される引越搬送物３０のチップＩＤを管理サーバ３から取得（ダウンロード）する。
【００５２】
具体的には、メインメニューの搬入処理メニューにおける搬入データ照合の項目を選択入力して、図１０に示す搬入データ照合画面を表示させて、搬入先現場番号に当該搬入先現場の現場番号、例えば「０１」を、ポップアップウインドウから選択入力した後、該搬入データ照合画面の上部右位置に設けられている「取得」の選択入力部を選択入力する。
【００５３】
該選択入力に基づいて、引越管理プログラムは、該搬入データ照合画面に表示されている「引越ＩＤ」と搬入先現場番号とを含む「搬入データ送信要求」を管理サーバ３に送信する。
【００５４】
この搬入データ送信要求を受信した管理サーバ３は、引越データベースにおいて、受信した引越ＩＤと搬入先現場番号とに対応付けて記憶されているチップＩＤ、すなわち、各搬出元現場から搬出されて引越データベースに記憶されているチップＩＤの内、その搬入先が該搬入先現場番号の現場とされている引越搬送物３０に貼付されている荷物シール３１のチップＩＤと搬出読取時間と読取リーダＩＤとを全て抽出し、該抽出した全てのデータを含む搬入データを、該受信した搬入データ送信要求の送信元のノートパソコン２に返信する。
【００５５】
そして、ノートパソコン２において実行されている引越管理プログラムは、該返信された搬入データに含まれるチップＩＤと搬出読取時間と読取リーダＩＤとを、搬入データ照合画面下部に設けられている照合情報表示部の向かって左側部分（中央二重線の左側部分）に一覧表示するとともに、該搬入データに含まれるチップＩＤの数をカウントして、総搬出個数として表示する。
【００５６】
そして、このようにして、当該搬入先現場に搬入するべき引越搬送物３０のチップＩＤを取得した後、該現場において搬入に使用するチップリーダ端末１の設定を実施する。
【００５７】
具体的には、これら搬入に使用する各チップリーダ端末１を順次、ＵＳＢケーブル２５を介してノートパソコン２に接続した後、メインメニューの「チップリーダ設定」の項目を選択入力して、図８に示すチップリーダ設定画面を液晶パネル２１に表示させる。
【００５８】
そして、該チップリーダ設定画面において、ポップアップメニューウインドウから「搬入」を選択して「モード」の項目に表示させるとともに、読取対象搬入先に当該搬入先現場の現場番号を、ポップアップメニューウインドウから選択して表示させた後、画面上部右位置に設けられている「書込」の選択入力部を選択入力することで、これらチップリーダ設定画面にて設定された内容の設定データがチップリーダ端末１に送信されて記憶されるとともに、該チップリーダ端末１の制御ユニット１１は、記憶した設定内容がのモードが「搬入」モードであることに基づいて、無線ＬＡＮ通信モジュール１５を介しての当該ノートパソコン２との無線ＬＡＮ通信を開始し、ノートパソコン２に対して自身のリーダＩＤを無線ＬＡＮ通信にて送信することにより、ノートパソコン２において実行されている引越管理プログラムは、チップリーダ端末１との無線ＬＡＮ通信が可能となったことを確認した後、設定完了を表示する。
【００５９】
このようにして、搬入に使用する全てのチップリーダ端末１を搬入モードに設定することにより、全てのチップリーダ端末１とノートパソコン２とが無線ＬＡＮ通信によりリアルタイムに接続されるようになり、各チップリーダ端末１にて読み取られたチップＩＤが、読み取りとほぼ同時にノートパソコン２に送信される。
【００６０】
そして、これら各チップリーダ端末１の設定の完了後において、トラックからの荷下ろし時に該荷下ろしする引越搬送物３０に貼付されている荷物シール３１のチップＩＤを、これら搬入モードとされたチップリーダ端末１を使用して読み取ることで、該読み取られたチップＩＤと該チップリーダ端末１のリーダＩＤとが、ほぼリアルタイムにノートパソコン２に送信されて、引越管理プログラムにより、管理サーバ３より取得した搬入データに当該チップＩＤが含まれているか否かが判定（照合）され、当該チップＩＤが含まれている場合には、図１０に示す搬入データ照合画面における該同一のチップＩＤに対応する搬入読取時間にその時点の日時情報とリーダＩＤとが記憶（登録）されるとともに総搬入個数に１が加算更新表示される一方、管理サーバ３より取得した搬入データに当該チップＩＤが含まれていない場合には、図１０に示すように液晶パネル２１に「未登録ＩＤの読み取り発生」のメッセージを含むエラーウインドウが表示されるとともに、当該チップＩＤを読み取ったチップリーダ端末１に対して、照合エラーが返信されるとともに、該照合エラーのチップＩＤが照合エラー情報として記憶され、且つ、管理サーバ３に通知される。
【００６１】
つまり、ノートパソコン２において実施される引越管理プログラムにより、搬入地側読み取り手段となる搬出元現場におけるチップリーダ端末１にて読み取ったチップＩＤ（識別情報）と、本発明の記憶手段を成す管理サーバ３の引越データベースに記憶されているチップＩＤ（識別情報）とが照合されており、該引越管理プログラムを実行するノートパソコン２により本発明における照合手段が形成されているとともに、該照合結果が図１０に示す搬入データ照合画面において表示されており、該搬入データ照合画面を表示出力するノートパソコン２により本発明における照合結果出力手段が形成されている。
【００６２】
この照合エラーの返信に基づいて該チップリーダ端末１の制御ユニット１１は、サウンダ１７から、例えば「ピー」という連続音から成るエラー音を出力するとともに、表示部１２’に照合エラーが発生したことを表示することで、読み取り作業者は、読み取りを実施した引越搬送物３０が混入等により誤って搬送されてきたものであると認識して、該混入引越搬送物をとりあえず、搬入せずに混入引越搬送物として別に確保した後、所定のエラー解除操作を実施して搬出作業を再開することで、これら混入引越搬送物が搬入されてしまうことにより、これら混入引越搬送物を搬入作業の終了後において該搬入した物の中から探し出すことなく、的確に確保できるようになっている。
【００６３】
つまり、チップリーダ端末１においては、本発明における照合手段となる引越管理プログラムを実行するノートパソコン２における照合結果が不一致であったときに、当該不一致である旨を報知しており、該チップリーダ端末１によって本発明における報知手段が形成されている。
【００６４】
そして、全ての引越搬送物３０の搬入が終了した時点において、搬出された全ての引越搬送物３０が漏れなく搬入されていれば、総搬出個数と総搬入個数とが一致して、不一致個数は「０」となるが、搬送途中等でａ個の引越搬送物３０が紛失した場合等においては、これら不一致個数が、例えば図１０に示すように「ａ」となる。
【００６５】
この場合には、これら未搬入の引越搬送物３０を特定する場合には、搬入データ照合画面において不一致個数に対応する「一覧表示」の選択入力部を選択入力することにより、照合情報表示部において、搬入読取時間の登録（記憶）の無いチップＩＤが全て抽出されて、図示しない個別の未搬入一覧ウインドウに一覧表示されるようになっており、これら未搬入の引越搬送物３０は、例えば、トラックの積み込み後において、誤って他のトラックに積み替えられた可能性もあり、これら未搬入一覧ウインドウに一覧表示されたチップＩＤが、他の搬入現場からの照合エラー情報として管理サーバ３に通知されていないかを容易に照合、確認でき、未搬入の引越搬送物３０の所在確認を容易にできるようになる。
【００６６】
つまり、本発明の照合手段並びに照合結果出力手段を成すノートパソコン２において実行される引越管理プログラムは、照合により不一致となったチップＩＤ（識別情報）を抽出し、該抽出したチップＩＤ（識別情報）の一覧を表示出力している。
【００６７】
そして、このように、該搬入先現場において全ての引越搬送物３０の搬入後に、図１０に示す搬入データ照合画面の上部右位置に設けられている「登録」の選択入力部を選択入力することにより、該搬入データ照合画面の照合情報に表示された内容である照合結果データが、引越ＩＤと搬入先番号とともに管理サーバ３に対して送信されることで、引越データベースの当該引越ＩＤに対応付けて記憶されている各チップＩＤに対応する搬入読取時間と読取リーダＩＤが記憶、管理される。尚、同様に、もう一方の搬入先現場からも照合結果データが管理サーバ３に対して送信されることで、当該引越ＩＤの引越において搬出された全ての引越搬送物３０のチップＩＤと搬入された全ての引越搬送物３０のチップＩＤとが、引越データベースにおいて記憶、管理される。
【００６８】
そして、該引越ＩＤの引越における全ての照合結果をノートパソコン２において表示させたい場合には、搬入データ照合画面の引越ＩＤに当該引越ＩＤが表示されている状態において、該搬入データ照合画面の画面上部右位置に設けられている「全表示」を選択入力することで、管理サーバ３に対して、該引越ＩＤを含む引越データ要求が送信されることで、管理サーバ３の引越データベースにおいて該引越ＩＤに対応付けて記されている引越データが返信されることにより、当該引越において各搬出元から搬出された引越搬送物３０のチップＩＤに対応付けて、搬出読取時間、読取リーダＩＤ、搬入読取時間並びに読取リーダＩＤとが照合情報表示部に一覧表示されるともに、当該返信された引越データに基づいて総搬出個数と総搬入個数と不一致個数とが引越管理プログラムにより集計されて更新表示されるので、搬出された引越搬送物３０が間違いなく搬入されているいか否かを、引越依頼者に簡便に提示することができる。つまり、搬出される引越搬送物の数である総搬出個数、並びに搬入される引越搬送物の数である総搬入個数とが、ノートパソコン２において実行されている引越管理プログラムにより集計されて表示されており、該引越管理プログラムを実行するノートパソコン２によって本発明における引越搬送物数集計出力手段が形成されている。
【００６９】
すなわち、本実施例によれば、搬出された引越搬送物３０に付与されたＲＦＩＤチップ３３（ＲＦＩＤインレット３２）のチップＩＤ（識別情報）と、搬入された引越搬送物３０に付与されたＲＦＩＤチップ３３（ＲＦＩＤインレット３２）のチップＩＤ（識別情報）とが照合されて、その照合結果がノートパソコン２において表示出力されるようになるので、搬出された引越搬送物３０が間違いなく搬入されているいか否かを、引越依頼者に簡便に提示することができる。
【００７０】
また、本実施例によれば、識別情報記録媒体としてＲＦＩＤチップ３３（ＲＦＩＤインレット３２）を使用しているので、チップＩＤ（識別情報）の読み取りを、ＲＦＩＤチップ３３（ＲＦＩＤインレット３２）を備える荷物シール３１に近接することなく読み取ることができるので、読み取り作業の作業性を向上できるばかりか、記憶されているチップＩＤ（識別情報）が改竄される等による不都合の発生を著しく回避でき、照合結果の信頼性を向上できる。
【００７１】
また、通常の引越においては、各引越搬送物に荷物シールを貼付するので、本実施例に示すように、これら荷物シール３１にＲＦＩＤチップ３３（ＲＦＩＤインレット３２）を設けることで、個別にＲＦＩＤチップ３３（ＲＦＩＤインレット３２）を引越搬送物３０に付与する作業を行う必要がなく、ＲＦＩＤチップ３３（ＲＦＩＤインレット３２）を簡便且つ確実に引越搬送物３０に付与できる。
【００７２】
また、本実施例によれば、引越管理プログラムが実行されるノートパソコン２により、引越データに基づいて総搬出個数と総搬入個数とが集計され、搬入データ照合画面において集計された総搬出個数と総搬入個数とが表示されるので、搬出する引越搬送物３０の数および搬入する引越搬送物３０の数を容易に把握することができる。
【００７３】
また、本実施例によれば、不一致のチップＩＤが一覧表示されるので、搬出されて未搬入の引越搬送物３０を容易に把握することができ、これらの引越搬送物３０の問い合わせ等を簡便に実施することができる。
【００７４】
また、本実施例によれば、各引越搬送物３０の読み取り時刻を確認できるので、例えば、同一の引越搬送物３０が、異なる搬入先に対応するチップリーダ端末１にて重複して読み取られている場合において、当該引越搬送物３０の読み取り時刻を確認することで、当該重複して読み取られた引越搬送物３０が、トラックのどの辺りに積載されているのかを推定することが可能となり、これら不都合の生じた引越搬送物３０を、多数の引越搬送物３０の中から探し出すための重要な情報を得ることができるようになる。
【００７５】
また、本実施例によれば、チップリーダ端末１（搬入地側読み取り手段）にて引越搬送物３０のＲＦＩＤチップ３３（ＲＦＩＤインレット３２）から読み取った識別情報が不一致、例えば、記憶手段となる管理サーバ３の引越データベースに記憶されていないチップＩＤ（識別情報）である場合には、当該引越搬送物３０は、本来搬入されてはならない混入引越搬送物であるので、これら混入引越搬送物を読み取り時点にて特定することで、当該混入引越搬送物が搬入されてしまうことを回避できるので、これら混入引越搬送物が搬入された後に判明することにより、該混入引越搬送物を搬入された多数の引越搬送物３０から探し出す面倒を解消することができる。
【００７６】
以上、本発明の実施例を図面により説明してきたが、具体的な構成はこれら実施例に限られるものではなく、本発明の要旨を逸脱しない範囲における変更や追加があっても本発明に含まれる。
【００７７】
例えば、前記実施例では、識別情報記録媒体としてＲＦＩＤチップ３３（ＲＦＩＤインレット３２）を使用しているが、本発明はこれに限定されるものではなく、これら識別情報記録媒体としては、個々に固有のＩＤが読み取り可能に記録されたものであれば良く、例えば、バーコード（一次元や二次元）やホノグラムであっても良い。
【００７８】
また、前記実施例では、識別情報記録媒体であるＲＦＩＤチップ３３（ＲＦＩＤインレット３２）を荷物シール３１に設けているが、本発明はこれに限定されるものではなく、これら荷物シール３１とは個別に、ＲＦＩＤチップ３３（ＲＦＩＤインレット３２）を引越搬送物に貼付（付加）するようにしても良い。
【００７９】
また、前記実施例では、総搬出個数と総搬入個数の双方を集計して表示しているが、本発明はこれに限定されるものではなく、これらのいずれか一方のみでも良いし、これらの集計をすることなく、不一致個数のみを表示するようにしても良い。
【００８０】
また、前記実施例では、不一致となったチップＩＤを一覧表示するようにしているが、本発明はこれに限定されるものではなく、これら不一致となったチップＩＤを抽出して一覧表示する機能を有しないものとしても良い。
【００８１】
また、前記実施例では、搬出読取時間と搬入読取時間とを記憶するようにしているが、本発明はこれに限定されるものではなく、これら搬出読取時間と搬入読取時間のいずれか一方のみを記憶したり、更には、これら搬出読取時間と搬入読取時間の双方を記憶しないようにしても良い。
【００８２】
また、前記実施例では、チップリーダ端末１にて混入引越搬送物によるチップＩＤの不一致の発生を報知するようにしているが、本発明はこれに限定されるものではなく、これらのエラー報知を実施しない構成としても良い。
【００８３】
また、前記実施例では、管理サーバ３を用い、該管理サーバ３の引越データベースに、各搬出元から搬出された引越搬送物３０のチップＩＤを記憶しておき、各搬入先現場において搬入すべき引越搬送物３０のチップＩＤをダウンロードできるようにしているが、本発明はこれに限定されるものではなく、例えば、搬出元が１カ所であって搬入先も一カ所である場合には、これら管理サーバ３を使用せずに、ノートパソコン２において搬出元にて読み取ったチップＩＤを記憶する記憶手段とし、該ノートパソコン２を搬入先において用いることで、記憶されているチップＩＤと搬入する引越搬送物３０のチップＩＤとを照合するようにしても良い。
【００８４】
また、前記実施例では、照合結果の出力形態として、ノートパソコン２における表示出力を例示しているが、本発明はこれに限定されるものではなく、例えば、ノートパソコン２に携行可能なプリンタユニットをＵＳＢスロット２３に接続して、搬入データ照合画面を印刷出力して、引越依頼者に手渡しできるようにしても良い。
【００８５】
また、前記実施例では、チップリーダ端末１を搬入モードとした場合には、無線ＬＡＮ通信により、ほぼリアルタイムに各チップリーダ端末１にて読み取ったチップＩＤがノートパソコン２に送信されるようにしており、このようにすることは、混入引越搬送物の検出が可能となることから好ましが、本発明はこれに限定されるものではなく、これら搬入時においても、搬出時と同様にチップリーダ端末１において読み取ったチップＩＤをフラッシュメモリ９に読み取り時刻とともに記憶しておき、搬入する全ての引越搬送物の読み取りが終了した後に、チップリーダ端末１をノートパソコン２にＵＳＢケーブル２５を介して接続して、読み取ったチップＩＤと読み取り時刻とから成る搬入データの読み出しを実施するようにしても良い。
【図面の簡単な説明】
【００８６】
【図１】本発明の実施例における搬送物管理システムの全体像を示すシステム構成図である。
【図２】本発明の実施例に用いた、チップリーダ端末と該チップリーダを管理するノートパソコンを示す斜視図である。
【図３】本発明の実施例に用いたチップリーダ端末の構成を示すブロック図である。
【図４】本発明の実施例に用いたチップリーダ端末による読み取り状況を示す説明図である。
【図５】本発明の実施例における搬送物管理システムを構成する各機器における保持データの内容を示す説明図である。
【図６】本発明の実施例に用いたノートパソコンにおける表示部の表示内容（メインメニュー画面）を示す図である。
【図７】本発明の実施例に用いたノートパソコンにおける表示部の表示内容（引越データ登録・修正画面）を示す図である。
【図８】本発明の実施例に用いたノートパソコンにおける表示部の表示内容（ハンディリーダ設定画面）を示す図である。
【図９】本発明の実施例に用いたノートパソコンにおける表示部の表示内容（搬出データ取得と個数確認画面）を示す図である。
【図１０】本発明の実施例に用いたノートパソコンにおける表示部の表示内容（搬入データ照合画面）を示す図である。
【符号の説明】
【００８７】
１        チップリーダ端末
２        ノートパソコン
３        管理サーバ
５        制御マイコン（ＭＰＵ）
６        プログラムロム
７        メモリ（ＲＡＭ）
８        リアルタイムクロック（ＲＴＣ）
９        フラッシュメモリ
１０      アンテナ
１１      制御ユニット
１２      液晶モジュール
１２’    表示部
１３      ＲＦＩＤリーダ
１４      操作基板
１５      無線ＬＡＮ通信モジュール
１６      インターフェイス
１７      サウンダ
２１      液晶パネル
２２      カードスロット
２３      ＵＳＢスロット
２４      データ通信カード
２５      ＵＳＢケーブル
３１      荷物シール
３２      ＲＦＩＤインレット
３３      ＲＦＩＤチップ
【図１】
2007126256.tif 000003
【図２】
2007126256.tif 000004
【図３】
2007126256.tif 000005
【図４】
2007126256.tif 000006
【図５】
2007126256.tif 000007
【図６】
2007126256.tif 000008
【図７】
2007126256.tif 000009
【図８】
2007126256.tif 000010
【図９】
2007126256.tif 000011
【図１０】
2007126256.tif 000012